(57)【要約】 【課題】本発明は、サイドカットファンでの、サイドカット部に対応する内周面の円弧径を、当初の風洞外周面を形成する初期円弧径と異なる曲率径として形成することによる、圧力変動の影響を抑制することを目的とする。【解決手段】本発明に成るサイドカットファンは、ベンチュリ外周面の所定の切除部に対応する部位内面に、初期円弧径とこれと異なる円弧径で連通する円弧径連通部が形成されると共に、周方向で変移した部位にも初期円弧径とこれと異なる円弧径で連通する別の追加円弧径連通部を備え、好ましくは、前記追加円弧径連通部が当初の２箇所の切除部形成部位に対し９０度変移する部位の別の２箇所に設けられ、また、前記ベンチュリ内周面で初期円弧径に連通する異なる円弧径が、いずれも同一円弧径として形成される。【選択図】        図１
2008248739.tif 000002
【特許請求の範囲】
【請求項１】
ベンチュリとプロペラを有する軸流ファンで、実装スペースの制約上、ベンチュリ外周面の一部に所定の切除部が設けられ、風洞外側円弧面の一部を成す前記切除部の内周面が、ベンチュリの初期円弧径と異なる円弧径で連通するように形成されている所謂サイドカットファンにおいて、前記切除部に対し周方向で変移した部位にも、前記初期円弧径と異なる別の追加円弧径連通部が形成されていること、を特徴とするサイドカットファン。
【請求項２】
前記所定の切除部が、互いに１８０度で対向する２箇所の切除部であって、前記追加円弧径連通部が、前記所定の切除部に対し、周方向９０度変移する部位に形成されていること、を特徴とする請求項１に記載のサイドカットファン。
【請求項３】
前記所定の切除部内周面の円弧径連通部と、追加前記追加円弧径連通部が、いずれも同一円弧径をもって形成され、隣接する初期円弧径に連通していること、を特徴とする請求項２又は３に記載のサイドカットファン。
【発明の詳細な説明】
【技術分野】
【０００１】
本発明は、軸流ファン、特にサイドカットファンでの、ベンチュリの風洞部形状に関する。
【背景技術】
【０００２】
【特許文献１】特開２００４−３５３５８５号公報）
【０００３】
上述特許文献にも見られる通り送風性能の向上と静穏化という相反する要素に対応するため、ベンチュリの風洞部形状については種々の検討が試みられ実用化されており、本願発明に係る、実装スペース抑制を意図した所謂サイドカットファンも、その適用範囲であることに変わりはない。
【０００４】
そして、サイドカットファン自体でも、切除部形成に伴うベンチュリの薄肉化対応として剛性を保持する目的もあって、風洞を形成するベンチュリ内周面には、当該切除部で、初期の風洞外側円弧面の円弧径とは異なる曲率径として、プロペラの転回外周円弧面との空隙の変化を少なくして連通するように形成されていることも周知の通りである。
【発明の開示】
【発明が解決しようとする課題】
【０００５】
しかし、サイドカットファンでは、上述のように、従来技術に成る改善効果に加えて、サイドカット部に対応するベンチュリの内周面の円弧径が、当初の風洞外側円弧面を形成する初期円弧径とは異なる円弧径として形成されることによる、圧力変動の影響対策が求められて来ている。
【課題を解決するための手段】
【０００６】
本発明に成るサイドカットファンは、ベンチュリ外周面の所定の切除部に対応する部位の内面に、初期円弧径とこれと異なる円弧径で連通する円弧径連通部が形成されると共に、周方向で変移した部位にも初期円弧径とこれと異なる円弧径で連通する別の追加円弧径連通部を備え、好ましくは、
【０００７】
前記追加円弧径連通部が、当初の２箇所の切除部形成部位に対し９０度変移する部位の、別の２箇所に設けられ、また、
【０００８】
前記ベンチュリ内周面で初期円弧径に連通する異なる円弧径が、いずれも同一円弧径として形成されている。
【発明の効果】
【０００９】
本発明に成るサイドカットファンは、当該サイドカットファンでの特異な課題である、ベンチュリ外周面の切除による、風洞外側内周面の円弧径変化に伴うプロペラの転回外周円弧面との空隙変化での、プロペラと風洞外側内周面との圧力干渉の影響を抑制する効果を実現している。
【発明を実施するための最良の形態】
【００１０】
以下図面により本発明の実施例を説明する。
【実施例】
【００１１】
図１は、本発明の第１の実施例を示す正面図であり、図２は、従来技術の実施例を示す正面図である。図２に示す２面を切除した従来周知のサイドカットファン１に対し、図１では、サイドカット部２−１の風洞外側円弧面に形成された円弧径連通部３−１と共に、９０度変移した部位の風洞外側円弧面に追加円弧径連通部３−４を設け、初期の真円状風洞外側円弧面３−２に対し大きな曲率径とした円弧径連通部を追加形成することで、プロペラ転回での空隙の変化を極力抑制するようにして、静穏化効果を高めている。
【００１２】
上述図１は、ベンチュリー２の外周面での形状は、図２のものと類似しているが、上述の通り、サイドカット部２−１と９０度変移した部位のベンチュリ２の内周面に、追加円弧径連通部３−４を追加形成する例として示している。
【００１３】
なお、通常、サイドカットファン１としての２面のサイドカット部２−１は、１８０度の変移で対向する部位に設けられる例が多く、対応する、追加される異なる曲率径の円弧径連通部を前記２面のサイドカット部２−１と９０度変異させることが一般的と言える。
【００１４】
図３と図４は、上述図１、図２に例示するサイドカット部２−１が１８０度偏移したサイドカットファン１の構成に係る、図２に示す従来構造と図１に示す２個の追加円弧径連通部３−４を付加した構成での、風量性能と騒音のオーバーオール値での比較データ、及び、両者の騒音を周波数分析として示す比較データである。
【００１５】
上述図１に示す本願発明構成の実施例では、図３に見る騒音のオーバーオール値で高風量領域での騒音レベルの顕著な低減効果を確認でき、図４の周波数分析のデータからは、ほぼ４００Ｈzのサイクルで発生する騒音ピーク値のうち、特に最大値を示す８００Ｈzでの低減効果が確認され、上記オーバーオール値での低減に寄与している。
【産業上の利用可能性】
【００１６】
本発明に成るサイドカットファンは、実装スペースの拡大を派生することなしに、プロペラ転回時の外周円弧面と、風洞外側円弧面との空隙の変化での、圧力干渉の影響による騒音を抑制することができるので、省スペース用軸流ファンとしてのサイドカットファンの用途を拡大することを可能とする。
【図面の簡単な説明】
【００１７】
【図１】本発明に成るサイドカットファンの例のベンチュリ正面を見る説明図である。
【図２】従来技術に成るサイドカットファンの例のベンチュリ正面を見る説明図である。
【図３】図１の例と図２の例における騒音のオーバーオールでの比較データである。
【図４】図３の例のデータでの周波数分析結果を示す比較データである。
【符号の説明】
【００１８】
１        サイドカットファン
２        ベンチュリ
２−１    サイドカット部
３        風洞
３−１    サイドカット部内面の円弧径連通部
３−２    初期風洞外側円弧面
３−３    風洞内側円弧面
【図１】
2008248739.tif 000003
【図２】
2008248739.tif 000004
【図３】
2008248739.tif 000005
【図４】
2008248739.tif 000006